(57)【特許請求の範囲】
【請求項１】
上カバーと下カバーとの間に形成された空間にディスクを向かい入れるためのトレーが前後方向に摺動してディスク交換位置とディスク装着位置との間を移動するディスク装置において、前面ベゼルの背面にアース板と、前記アース板を避けるように形成され、弾性部材と導電布とを積重した導電部材とを装着し、前記トレーがディスク装着位置にロックされたとき、前記導電部材が上カバーに当接して導電布が弾性部材の弾性復元力により上カバーの前端に押圧されて食い込むことを特徴とするディスク装置。
【発明の詳細な説明】
【０００１】
【発明の属する技術分野】
本発明はディスク装置に係り、特に接地部を有する固定部と固定部に対して移動可能に設けられた可動部との間の隙間のシールドを行うよう構成されたディスク装置に関する。
【０００２】
【従来の技術】
例えば、ノート型パーソナルコンピュータに搭載されるＣＤ−ＲＯＭ装置やＤＶＤ−ＲＯＭ装置などのディスク装置からなる電子装置においては、薄型化、小型化、軽量化が進められている。
【０００３】
一方、この種のディスク装置は、周囲からの電磁波の影響を排除するため、電磁波シールド材により形成された上下カバーの内部に光ピックアップを収納する構成を採用している。また、光ピックアップが搭載されたトレーは、カバーの前面側開口から引き出されて光ディスクが載置されるディスク交換位置とカバー内部に収納されるディスク装着位置へ移動可能に設けられている。
【０００４】
また、トレーの前端に取り付けられた前面ベゼルの前面には、トレーをイジェクトさせる際に操作されるイジェクト釦が設けられ、前面ベゼルの背面には、イジェクトスイッチ釦に押圧されて可動する切片が設けられている。トレー及び前面ベゼルは、軽量化のため樹脂材により成型されている。
【０００５】
【発明が解決しようとする課題】
ところが、上記前面ベゼルの背面に金属製のシールド板を設けるようにすると、トレーの重量が増大してしまい、トレーの移動をガイドするガイドレールに余計な負荷がかかると共に、トレーの前面ベゼルと上下カバーの前端との間に隙間が生じ、この隙間から電磁波がカバー内部に侵入して光ピックアップに影響を及ぼすおそれがあった。
【０００６】
そこで、本発明は上記課題を解決したディスク装置を提供することを目的とする。
【０００７】
【課題を解決するための手段】
本発明は上記課題を解決するため、以下のような特徴を有する。
【０００８】
上記請求項１記載の発明は、上カバーと下カバーとの間に形成された空間にディスクを向かい入れるためのトレーが前後方向に摺動してディスク交換位置とディスク装着位置との間を移動するディスク装置において、前面ベゼルの背面にアース板と、前記アース板を避けるように形成され、弾性部材と導電布を積重した導電部材とを装着し、前記トレーがディスク装着位置にロックされたとき、前記導電部材が上カバーに当接して導電布が弾性部材の弾性復元力により上カバーの前端に押圧されて食い込むものであり、トレーの軽量化に寄与すると共に、第１の部材とトレーと近接した状態では、導電層が接地部に接触してシールド効果を確保することが可能になる。
【００１０】
【発明の実施の形態】
以下、図面と共に本発明の実施の形態について説明する。
【００１１】
図１は本発明になるディスク装置の一実施例の外観を示す斜視図である。
【００１２】
図１に示されるように、ディスク装置１１は、ノート型パソコン（図示せず）の筐体に内蔵される内蔵形のＣＤ−ＲＯＭドライブ装置である。ディスク装置１１は、上カバー１４（「第１の部材」に相当する）と下カバー１６との間に形成された空間にディスク２２（一点鎖線で示す）を向かい入れるためのトレー２０（「第２の部材」に相当する）が前後方向（Ａ，Ｂ方向）に摺動自在に設けられている。トレー２０は、ディスク装着時にはＢ方向に摺動してディスク装置１１内に収納された状態で係止される。また、トレー２０の前端に取り付けられた前面ベゼル３０の前面には、トレー２０をイジェクトする際に押圧操作されるイジェクト釦３２と、ディスク駆動中であること点灯表示するＬＥＤ発光部３３とが設けられている。
【００１３】
トレー２０は、イジェクト釦３２が押圧操作されると、係止解除されてＡ方向に所定距離だけ押し出される。この後は、手動によりディスク交換位置へ引き出される。
【００１４】
図２は本発明になるディスク装置の一実施例を示す斜視図である。図３はトレー２０がディスク装着位置に収納された状態を示すディスク装置の平面図である。図４はトレー２０をディスク交換位置に引き出した状態を示す平面図である。
【００１５】
図２に示されるように、ターンテーブル１８は、中央にディスク２２の内周に嵌合してディスク２２をクランプするクランプ機構２３を有する。また、ターンテーブル１８の周囲には、ディスクの直径よりも大径なディスク収納部２４が形成されている。
【００１６】
そして、ディスク収納部２４の下方には、ターンテーブル１８のクランプ機構２３にクランプされたディスク２２に記録された情報を読み取るための光学ヘッド部を構成する光ピックアップ２６がディスク半径方向に移動可能に取り付けられている。また、光ピックアップ２６には、フレキシブルケーブル５０がU字状に湾曲させた状態で接続されている。
【００１７】
光ピックアップ２６は、ディスク収納部２４の凹部２４ａに収納されており、凹部２４ａは光ピックアップ２６の対物レンズ２７が移動する範囲に開口２８ａを有するピックアップカバー２８で覆われている。また、トレー２０の前端に結合された前面ベゼル３０は、中央にイジェクト釦３２が設けられている。
【００１８】
ターンテーブル１８の下方に設けられたディスクモータ（図示せず）が回転駆動されてターンテーブル１８及びターンテーブル１８のクランプ機構２３にクランプされたディスク２２が回転する。
【００１９】
図４に示されるように、トレー２０は両側に前後方向に摺動可能に取り付けられたガイドレール４０，４２を介して支持されており、前面ベゼル３０に設けられたイジェクト釦３２が押圧操作されると、ロック機構（図示せず）によるトレー２０のロックが解除され、ロック解除されたトレー２０は手動操作により図４に示すようにＡ方向にスライドしてディスク交換位置に引き出される。また、ディスク交換位置に引き出されたトレー２０のターンテーブル１８にディスク２２がクランプされた後、操作者は前面ベゼル３０をＢ方向に押圧操作することにより、トレー２０がＢ方向に移動して図３に示すディスク装着位置でロック機構（図示せず）によりロックされる。
【００２０】
ここで、光ピックアップ２６をディスク半径方向に移動させるピックアップ駆動機構について説明する。
【００２１】
ピックアップ駆動機構３４は、図３及び図４において、光ピックアップ２６の移動方向を案内する一対のガイドシャフト３５，３６と、光ピックアップ２６を駆動する駆動モータ３７と、駆動モータ３７の回転駆動力を光ピックアップ２６に伝達する伝達機構３８とから構成されている。また、光ピックアップ２６の両側には、一対のガイドシャフト３５，３６に係合して移動方向をガイドされる軸受部２６ａ〜２６ｃが突出している。伝達機構３８は、駆動モータ３７の回転を減速するギヤ群３８ａと、ギヤ群３８ａを介して回転駆動されるリードスクリュウ３８ｂとからなる。そして、光ピックアップ２６は、リードスクリュウ３８ｂの螺旋溝に係合する係合部２６ｄを有する。
【００２２】
従って、駆動モータ３７の回転がギヤ群３８ａを介してリードスクリュウ３８ｂに伝達されることにより光ピックアップ２６がディスク半径方向に移動する。
【００２３】
図５は前面ベゼル３０を示す図であり、（Ａ）は背面図、（Ｂ）は平面図、（Ｃ）は正面図、（Ｄ）は側面図である。
【００２４】
図５（Ａ）〜（Ｄ）に示されるように、前面ベゼル３０は、前面中央にイジェクト釦３２が挿入される長方形の取付孔５０と、ＬＥＤ発光部３３が挿入される取付孔５２と、緊急用の手動ロック解除を行うための小孔５４が設けられている。また、前面ベゼル３０の背面には、トレー２０の前面に係合する係合部５６ａ〜５６ｅが突出している。
【００２５】
図６は前面ベゼル３０の背面に導電布６０を貼り付けた状態を示す図であり、（Ａ）は背面図、（Ｂ）は側面図である。
【００２６】
図６（Ａ）（Ｂ）に示されるように、前面ベゼル３０の背面には、導電部材６０が貼着されている。導電部材６０は、前面ベゼル３０の上縁部に沿って延在する上部６０ａと、前面ベゼル３０の下縁部に沿って延在する下部６０ｂと、上部６０ａと下部６０ｂとを接続するように上下方向に延在する接続部６０ｃ〜６０ｅとからなる。
【００２７】
すなわち、導電部材６０は、前面ベゼル３０の背面に突出する係合部５６ａ〜５６ｅを避けるように形成されており、且つ前面ベゼル３０の背面に取り付けられたアース板６２を避けるように形成されている。
【００２８】
アース板６２は、導電性を有する金属板からなり、イジェクト釦３２の背面に押圧される被押圧部６２ａと、下カバー１６の端部に接触するように装置内部に向けて傾斜された接触部６２ｂと、被押圧部６２ａと接触部６２ｂとの間を導通するように接続する接続部６２ｃと、ＬＥＤ発光部３３に対向するように突出する突出部６２ｄと、小孔５４に対向するように突出する突出部６２ｅから構成されている。
【００２９】
このアース板６２は、イジェクト釦３２が押圧操作される際、操作者の静電気を下カバー１６へ逃がすものであり、静電気が光ピックアップ２６に影響しないように設けられている。また、アース板６２は、電磁波の侵入を防止するシールドとしても機能する。そのため、導電部材６０は、アース板６２と重複しないような形状に形成されている。
【００３０】
図７は導電部材６０を示す図であり、（Ａ）は正面図、（Ｂ）は側面図、（Ｃ）はＢ部拡大図である。
【００３１】
図７（Ａ）〜（Ｃ）に示されるように、導電部材６０は、弾性を有するスポンジあるいはフエルトなどからなる弾性部材６４と、弾性部材６４の背面に貼着された導電布６６（「導電層」に相当する）と、弾性部材６４を前面ベゼル３０の背面に接着する接着層６８とから構成されている。導電布６６は、例えば、タフタ布（絹織物）や不織布などからなる柔軟性を有する布にめっき処理したものである。導電層は、導電布に限るものではなく、例えば、アルミ蒸着フィルムや圧延銅箔などからなる金属箔導電シート、や繊維状の金属を布状に織った金属織物シートなど、柔軟性を有するフレキシブルなシート状のシールド部材することもできる。
【００３２】
従って、導電部材６０は、弾性及びフレキシブル性（柔軟性）を有するシート状に形成されており、弾性部材６４の裏面が接着層６８を介して前面ベゼル３０の背面に接着される。また、弾性部材６４は、導電布６６を上カバー１４及びボトムカバー７０の前端部に押圧するための押圧部材として機能すると共に、前面ベゼル３０と上カバー１４及びボトムカバー７０との間に形成される隙間を塞ぐ密閉部材としても機能するものである。
【００３３】
また、導電部材６０は、弾性部材６４と軽量で柔軟性を有する導電布６６とを積重する構成であるので、前面ベゼル３０の背面形状に合わせて容易に加工できると共に、前面ベゼル３０の凹凸形状に合わせて簡単に変形させることが可能であるので、金属製のものよりも扱いやすく、且つ取付作業も簡単である。
【００３４】
また、導電部材６０は、前面ベゼル３０のシールド性能を確保すると共に、前面ベゼル３０の軽量化にも寄与しうる。
【００３５】
図８はトレー２０がディスク装着位置にロックされたときの前面ベゼル３０及びその背面に取り付けられた導電部材６０の取付状態を示す縦断面図である。
【００３６】
図８に示されるように、トレー２０がディスク装着位置にロックされた状態（図１乃至図３を参照）では、上カバー１４の前端（接地部）１４ａが導電部材６０の上部６０ａに当接して導電部材６０と電気的に導通される。また、トレー２０の底部に取り付けられたボトムカバー７０の前端（接地部）７０ａが導電部材６０の下部６０ｂに当接して導電部材６０と電気的に導通される。
【００３７】
このように、導電部材６０は、導電布６６が弾性部材６４により弾力的に支持されているので、弾性部材６４の弾性復元力により導電層としての導電布６６が上カバー１４の前端１４ａ及びボトムカバー７０の前端７０ａに押圧されて食い込むように変形した状態で接地される。
【００３８】
そのため、導電布６６は、前面ベゼル３０と上カバー１４の前端１４ａ及びボトムカバー７０の前端７０ａとの隙間に介在した状態で確実に上カバー１４の前端１４ａ及びボトムカバー７０の前端７０ａに接地され、外部からの電磁波を確実にシールドすることが可能になる。また、装置内部の電磁波が装置外部に漏れることも確実に防止することが可能になる。
【００３９】
さらに、前面ベゼル３０と上カバー１４の前端１４ａ及びボトムカバー７０の前端７０ａとの間は、塵埃が装置内に侵入しないように弾性部材６４により密閉される。そのため、前面ベゼル３０と上カバー１４の前端１４ａ及びボトムカバー７０の前端７０ａとの間が弾性部材６４により密閉されることで、装置内部の駆動音の装置外部への漏れを軽減することができる。
【００４０】
図９は導電部材６０の変形例を示す図である。
【００４１】
図９中、前面ベゼル３２の背面にアース板６２が設けない場合には、ハッチング（斜め線）で示されるように、導電部材６０を上記係合部５６ａ〜５６ｅと取付孔５０，５２、及び小孔５４を除く前面ベゼル３２の全領域を覆うような形状に形成することも可能である。この変形例では、アース板６２の取付スペースにも導電部材６０が形成されるため、上記実施例のものよりもシールド効果が高く、且つ、軽量化が促進されている。
【００４２】
尚、上記実施例では、導電部材６０が弾性部材６４に導電布６６を接着する構成としたものを一例として挙げたが、これに限らず、例えば、弾性部材６４がフエルトなどのように弾性及び柔軟性を有する材質からなる場合には、弾性部材６４の表面に導電層を直接的に形成することも可能である。
【００４３】
また、上記実施例においては、ディスク装置のトレーと前面ベゼルとの間のシールドを確保する構成について説明したが、これは本発明の一例に過ぎず、他の電子装置の可動部と固定部との間のシールドを行う部分にも適用できるのは、勿論である。
【００４４】
【発明の効果】
上述の如く、請求項１記載の発明によれば、上カバーと下カバーとの間に形成された空間にディスクを向かい入れるためのトレーが前後方向に摺動してディスク交換位置とディスク装着位置との間を移動するディスク装置において、前面ベゼルの背面にアース板と、前記アース板を避けるように形成され、弾性部材と導電布を積重した導電部材とを装着し、前記トレーがディスク装着位置にロックされたとき、前記導電部材が上カバーに当接して導電布が弾性部材の弾性復元力により上カバーの前端に押圧されて食い込むため、トレーの軽量化に寄与すると共に、第１の部材とトレーと近接した状態では、導電層が接地部の形状に応じて変形することができ、且つ弾性部材の弾性復元力により導電層が接地部に確実に接触してシールド効果を確保することができると共に、装置の軽量化にも寄与しうる。
【図面の簡単な説明】
【図１】本発明のディスク装置の一実施例の外観を示す斜視図である。
【図２】本発明のディスク装置の一実施例を示す斜視図である。
【図３】トレー２０がディスク装着位置に収納された状態を示すディスク装置の平面図である。
【図４】トレー２０をディスク交換位置に引き出した状態を示す平面図である。
【図５】前面ベゼル３０を示す図であり、（Ａ）は背面図、（Ｂ）は平面図、（Ｃ）は正面図、（Ｄ）は側面図である。
【図６】前面ベゼル３０の背面に導電布６０を貼り付けた状態を示す図であり、（Ａ）は背面図、（Ｂ）は側面図である。
【図７】導電部材６０を示す図であり、（Ａ）は正面図、（Ｂ）は側面図、（Ｃ）はＢ部拡大図である。
【図８】トレー２０がディスク装着位置にロックされたときの前面ベゼル３０及びその背面に取り付けられた導電部材６０の取付状態を示す縦断面図である。
【図９】導電部材６０の変形例を示す図である。
【符号の説明】
１１ ディスク装置
１４ 上カバー
１６ 下カバー
１８ ターンテーブル
２０ トレー
２２ ディスク
２３ クランプ機構
２６ 光ピックアップ
２８ ピックアップカバー
３０ 前面ベゼル
３２ イジェクト釦
３４ ピックアップ駆動機構
４０，４２ ガイドレール
５０，５２ 取付孔
５４ 小孔
５６ａ〜５６ｅ 係合部
６０ 導電布
６２ アース板
６４ 弾性部材
６６ 導電布
６８ 接着層
７０ ボトムカバー
【図１】
0004055418.tif 000002
【図２】
0004055418.tif 000003
【図３】
0004055418.tif 000004
【図４】
0004055418.tif 000005
【図５】
0004055418.tif 000006
【図６】
0004055418.tif 000007
【図７】
0004055418.tif 000008
【図８】
0004055418.tif 000009
【図９】
0004055418.tif 000010